(57)【特許請求の範囲】
【請求項１】
被験者に適したゴルフクラブを選択するゴルフクラブ選択方法であって、
前記被験者の打球のサイドスピン量を計測または演算するステップと、
打球のサイドスピン量に影響を与える、３本以上のゴルフクラブの各々のフェース角、シャフト軸まわりの慣性モーメント、および重心角のうち少なくとも２つを説明変数とし、前記３本以上のゴルフクラブの各々に対してゴルファにより付与された、打球の左右方向への飛翔特性に関する評価値を目的変数として回帰分析を行なうことにより得られる回帰式を用いて、予め用意された複数のゴルフクラブの各々についての打球の左右方向への飛翔特性の指標となる指標値を算出するステップと、
前記指標値とサイドスピン量との予め定められた相関関係から導出される、前記指標値と前記被験者に適するゴルフクラブの選択基準となる適正サイドスピン量との関係式に基づいて、前記予め用意された複数のゴルフクラブの各々の適正サイドスピン量を算出するステップと、
前記予め用意された複数のゴルフクラブの各々の適正サイドスピン量と、前記計測または演算されたサイドスピン量とに基づいて、前記予め用意された複数のゴルフクラブから前記被験者に適したゴルフクラブを選択するステップとを含む、ゴルフクラブ選択方法。
【請求項２】
被験者に適したゴルフクラブを選択するゴルフクラブ選択方法であって、
前記被験者の打球のサイドスピン量を計測または演算するステップと、
打球のサイドスピン量に影響を与える、３本以上のゴルフクラブの各々のフェース角、シャフト軸まわりの慣性モーメント、および重心角のうち少なくとも２つを説明変数とし、前記３本以上のゴルフクラブの各々に対してゴルファにより付与された、打球の左右方向への飛翔特性に関する評価値を目的変数として回帰分析を行なうことにより得られる回帰式を用いて、予め用意された複数のゴルフクラブの各々についての打球の左右方向への飛翔特性の指標となる指標値を算出するステップと、
前記指標値とサイドスピン量との予め定められた相関関係と、前記計測または演算されたサイドスピン量とに基づいて、前記被験者に推奨する指標値を算出するステップと、
前記予め用意された複数のゴルフクラブの各々の前記指標値と、前記被験者に推奨する指標値とに基づいて、前記予め用意された複数のゴルフクラブから前記被験者に適したゴルフクラブを選択するステップとを含む、ゴルフクラブ選択方法。
【請求項３】
前記フェース角の回帰係数は−１以上０以下であり、前記シャフト軸まわりの慣性モーメントの回帰係数は−１以上０以下であり、前記重心角の回帰係数は０以上１以下である、請求項１または２に記載のゴルフクラブ選択方法。
【請求項４】
前記フェース角の回帰係数、前記シャフト軸まわりの慣性モーメントの回帰係数、および前記重心角の回帰係数は、前記被験者のインパクトフェース角、トゥヒール方向の打点、およびスイングパスに応じて変更され、
前記インパクトフェース角、前記打点、および前記スイングパスは、インパクト直前でのハイスピードでの連続画像を解析することにより求められる、または、
前記インパクトフェース角および前記スイングパスは、３軸加速度センサと３軸ジャイロセンサとを含むモーションセンサにより計測され、前記打点はフェースシールにおける打痕から計測される、請求項３に記載のゴルフクラブ選択方法。
【請求項５】
被験者に適したゴルフクラブを選択するゴルフクラブ選択方法であって、
前記被験者のスイング時のヘッドスピードを計測するとともに、前記被験者の打球のサイドスピン量を計測または演算するステップと、
打球のサイドスピン量に影響を与える、３本以上のゴルフクラブの各々のフェース角、シャフト軸まわりの慣性モーメント、および重心角のうち少なくとも２つを説明変数とし、前記３本以上のゴルフクラブの各々に対してゴルファにより付与された、打球の左右方向への飛翔特性に関する評価値を目的変数として回帰分析を行なうことにより得られる回帰式を用いて、予め用意された複数のゴルフクラブの各々についての打球の左右方向への飛翔特性の指標となる指標値を算出するステップと、
前記指標値とサイドスピン量との第１の相関関係から導出される、前記指標値と前記被験者に適するゴルフクラブの選択基準となる適正サイドスピン量との第１の関係式に基づいて、前記予め用意された複数のゴルフクラブの各々の適正サイドスピン量を算出するステップと、
前記被験者に推奨するゴルフクラブ質量とヘッドスピードとの第２の相関関係から導出される、ゴルフクラブ質量と前記被験者に適するゴルフクラブの選択基準となる適正ヘッドスピードとの第２の関係式に基づいて、前記予め用意された複数のゴルフクラブの各々の適正ヘッドスピードを算出するステップと、
前記予め用意された複数のゴルフクラブの各々の適正サイドスピン量および適正ヘッドスピードと、前記計測または演算されたサイドスピン量と、前記計測されたヘッドスピードとに基づいて、前記予め用意された複数のゴルフクラブから前記被験者に適したゴルフクラブを選択するステップとを含む、ゴルフクラブ選択方法。
【請求項６】
被験者に適したゴルフクラブを選択するゴルフクラブ選択方法であって、
前記被験者のスイング時のヘッドスピードを計測するとともに、前記被験者の打球のサイドスピン量を計測または演算するステップと、
打球のサイドスピン量に影響を与える、３本以上のゴルフクラブの各々のフェース角、シャフト軸まわりの慣性モーメント、および重心角のうち少なくとも２つを説明変数とし、前記３本以上のゴルフクラブの各々に対してゴルファにより付与された、打球の左右方向への飛翔特性に関する評価値を目的変数として回帰分析を行なうことにより得られる回帰式を用いて、予め用意された複数のゴルフクラブの各々についての打球の左右方向への飛翔特性の指標となる指標値を算出するステップと、
前記指標値とサイドスピン量との予め定められた相関関係と、前記計測または演算されたサイドスピン量とに基づいて、前記被験者に推奨する指標値を算出するステップと、
前記計測されたヘッドスピードに基づいて、前記被験者に推奨するゴルフクラブの質量を算出するステップと、
前記予め用意された複数のゴルフクラブの各々の前記指標値と、前記被験者に推奨する指標値と、前記予め用意された複数のゴルフクラブの各々の質量と、前記被験者に推奨するゴルフクラブの質量とに基づいて、前記予め用意された複数のゴルフクラブから前記被験者に適したゴルフクラブを選択するステップとを含む、ゴルフクラブ選択方法。
【請求項７】
前記被験者の打球のバックスピン量を計測するステップと、
少なくとも３本のゴルフクラブをゴルファが使用したときの打球のサイドスピン量およびバックスピン量の相関関係と、前記サイドスピン量を計測または演算するステップにより計測または演算されたサイドスピン量、および前記バックスピン量を計測するステップにより計測されたバックスピン量とに基づいて、前記被験者に推奨する指標値を算出するステップにより算出された当該推奨する指標値を補正するステップとをさらに含み、
前記選択するステップは、前記補正するステップにより補正された前記被験者に推奨する指標値を用いて、前記被験者に適したゴルフクラブを選択することを含む、請求項２または６に記載のゴルフクラブ選択方法。
【請求項８】
少なくとも３本のゴルフクラブに対してゴルファにより付与された、打球の左右方向への飛翔特性に関する評価値および前記少なくとも３本のゴルフクラブの各々のシャフト情報の相関関係に基づいて、前記指標値を算出するステップにより算出された指標値を補正するステップをさらに含み、
前記選択するステップは、前記補正するステップにより補正された指標値を用いて、前記被験者に適したゴルフクラブを選択することを含む、請求項１〜６のいずれか１項に記載のゴルフクラブ選択方法。
【請求項９】
前記演算されたサイドスピン量は、前記被験者が使用するゴルフクラブに取り付けられたセンサ装置により得られる前記被験者の複数のスイングデータに基づいて演算された前記被験者の打球のサイドスピン量である、請求項１〜８のいずれか１項に記載のゴルフクラブ選択方法。
【請求項１０】
被験者に適したゴルフクラブを選択するゴルフクラブ選択システムであって、
前記被験者の打球のサイドスピン量を計測または演算可能な計測装置と、
前記計測装置により得られた結果を用いて前記被験者に適したゴルフクラブを選択するための処理を実行する処理装置とを備え、
前記処理装置は、
打球のサイドスピン量に影響を与える、３本以上のゴルフクラブの各々のフェース角、シャフト軸まわりの慣性モーメント、および重心角のうち少なくとも２つを説明変数とし、前記３本以上のゴルフクラブの各々に対してゴルファにより付与された、打球の左右方向への飛翔特性に関する評価値を目的変数として回帰分析を行なうことにより得られる回帰式であって、予め用意された複数のゴルフクラブの各々についての打球の左右方向への飛翔特性の指標となる指標値を算出するための第１の演算式を記憶する第１の記憶部と、
前記第１の演算式を用いて求められた前記指標値とサイドスピン量との予め定められた相関関係から導出される演算式であって、前記予め用意された複数のゴルフクラブの各々における、前記被験者に適するゴルフクラブの選択基準となる適正サイドスピン量を算出するための第２の演算式を記憶する第２の記憶部と、
前記第２の演算式を用いて求められた前記予め用意された複数のゴルフクラブの各々の前記適正サイドスピン量と、前記計測または演算されたサイドスピン量とに基づいて、前記予め用意された複数のゴルフクラブから前記被験者に適したゴルフクラブを選択する選択部とを含む、ゴルフクラブ選択システム。
【請求項１１】
被験者に適したゴルフクラブを選択するゴルフクラブ選択装置であって、
前記被験者の打球のサイドスピン量の入力を受け付ける入力部と、
打球のサイドスピン量に影響を与える、３本以上のゴルフクラブの各々のフェース角、シャフト軸まわりの慣性モーメント、および重心角のうち少なくとも２つを説明変数とし、前記３本以上のゴルフクラブの各々に対してゴルファにより付与された、打球の左右方向への飛翔特性に関する評価値を目的変数として回帰分析を行なうことにより得られる回帰式であって、予め用意された複数のゴルフクラブの各々についての打球の左右方向への飛翔特性の指標となる指標値を算出するための第１の演算式を記憶する第１の記憶部と、
前記第１の演算式を用いて求められた前記指標値とサイドスピン量との予め定められた相関関係から導出される演算式であって、前記予め用意された複数のゴルフクラブの各々における、前記被験者に適するゴルフクラブの選択基準となる適正サイドスピン量を算出するための第２の演算式を記憶する第２の記憶部と、
前記第２の演算式を用いて求められた前記予め用意された複数のゴルフクラブの各々の前記適正サイドスピン量と、前記入力部により受け付けられたサイドスピン量とに基づいて、前記予め用意された複数のゴルフクラブから前記被験者に適したゴルフクラブを選択する選択部とを備える、ゴルフクラブ選択装置。
【発明の詳細な説明】
【技術分野】
【０００１】
本開示は、被験者に適したゴルフクラブを選択する方法、ゴルフクラブ選択システム、およびゴルフクラブ選択装置に関する。
【背景技術】
【０００２】
各々のゴルファにとってスイングのしやすい、飛距離の出やすいゴルフクラブないしゴルフクラブセット、すなわち、各々のゴルファに適したゴルフクラブを選定する方法は、従来から種々提案されている。
【０００３】
たとえば、特開２００１−２６９４２５号公報（特許文献１）には、ゴルファのヘッドスピード値などの実打データを取得し、この実打データに基づいてそのゴルファの理想の打球データ値を算出するとともに、該理想の打球データ値の実現に適したゴルフクラブを選ぶことが示されている。
【０００４】
特開２０１０−１５５０７４号公報（特許文献２）には、ゴルフクラブを用いてゴルフボールを打撃し、この打撃前後のゴルフクラブヘッドの挙動を少なくとも測定し、測定されたゴルフクラブヘッドの挙動に基づいて、ゴルフクラブヘッドとゴルフクラブシャフトとの組み合せを選択することが示されている。
【０００５】
特開２０１２−０１６５８２号公報（特許文献３）には、シャフト物性の値が異なる複数のゴルフクラブを用いて、複数のゴルファがスイングしたときのボールインパクト前またはボールインパクトでのフェース角と打球結果とが考慮された関係Ｃ１を準備し、テストクラブを被験者が打球して、そのフェース角の測定結果を得て、関係Ｃ１とフェース角の測定結果とに基づいて、被験者に適合したシャフト物性を判断することが示されている。
【先行技術文献】
【特許文献】
【０００６】
【特許文献１】特開２００１−２６９４２５号公報
【特許文献２】特開２０１０−１５５０７４号公報
【特許文献３】特開２０１２−０１６５８２号公報
【発明の概要】
【発明が解決しようとする課題】
【０００７】
しかしながら、上記特許文献のいずれにおいても、ゴルフボールのサイドスピン量を計測することについては開示されているものの、ゴルフクラブのスペックがサイドスピン量にどのような影響を与えるのかを詳細に検討したものではない。そのため、ゴルファに適したゴルフクラブを選択する上でサイドスピン量が十分考慮されているとはいえない。
【０００８】
本開示は、上記のような問題点を解決するためになされたものであって、その目的は、ゴルファの打球のサイドスピン量に応じて、ゴルファに適するゴルフクラブをより精度よく選択するためのゴルフクラブ選択方法を提供することである。
【０００９】
他の局面の目的は、ゴルファの打球のサイドスピン量に応じて、ゴルファに適するゴルフクラブをより精度よく選択することが可能なゴルフクラブ選択システム、およびゴルフクラブ選択装置を提供することである。
【課題を解決するための手段】
【００１０】
ある実施の形態に従うと、被験者に適したゴルフクラブを選択するゴルフクラブ選択方法が提供される。ゴルフクラブ選択方法は、被験者の打球のサイドスピン量を計測または演算するステップと、打球のサイドスピン量に影響を与えるゴルフクラブのスペック情報に基づいて、予め用意された複数のゴルフクラブの各々についての打球の左右方向への飛翔特性の指標となる指標値を算出するステップと、予め用意された複数のゴルフクラブの各々について、当該ゴルフクラブの指標値に基づいて被験者に適するゴルフクラブの選択基準となる適正サイドスピン量を算出するステップと、予め用意された複数のゴルフクラブの各々の適正サイドスピン量と、計測または演算されたサイドスピン量とに基づいて、予め用意された複数のゴルフクラブから被験者に適したゴルフクラブを選択するステップとを含む。
【００１１】
別の実施の形態に従うと、被験者に適したゴルフクラブを選択するゴルフクラブ選択方法が提供される。ゴルフクラブ選択方法は、被験者の打球のサイドスピン量を計測または演算するステップと、打球のサイドスピン量に影響を与えるゴルフクラブのスペック情報に基づいて、予め用意された複数のゴルフクラブの各々についての打球の左右方向への飛翔特性の指標となる指標値を算出するステップと、計測または演算されたサイドスピン量に基づいて、被験者に推奨する指標値を算出するステップと、予め用意された複数のゴルフクラブの各々の指標値と、被験者に推奨する指標値とに基づいて、予め用意された複数のゴルフクラブから被験者に適したゴルフクラブを選択するステップとを含む。
【００１２】
好ましくは、スペック情報は、フェース角と、シャフト軸まわりの慣性モーメント、および重心角のうち少なくとも２つを含む。
【００１３】
好ましくは、指標値を算出するステップは、フェース角、シャフト軸まわりの慣性モーメント、および重心角のうち少なくとも２つを説明変数とし、ゴルフクラブに対してゴルファにより付与された評価値を目的変数として回帰分析を行なうことにより得られる回帰式を用いて指標値を算出することを含む。
【００１４】
好ましくは、フェース角の回帰係数は−１以上０以下であり、シャフト軸まわりの慣性モーメントの回帰係数は−１以上０以下であり、重心角の回帰係数は０以上１以下である。
【００１５】
好ましくは、フェース角の回帰係数、シャフト軸まわりの慣性モーメントの回帰係数、および重心角の回帰係数は、被験者のインパクトフェース角、トゥヒール方向の打点、およびスイングパスに応じて変更される。
【００１６】
好ましくは、被験者のスイング時のヘッドスピードを計測するステップと、ヘッドスピードに適した質量のゴルフクラブを選択するステップとをさらに含む。
【００１７】
好ましくは、被験者の打球のバックスピン量を計測するステップと、複数のゴルフクラブをゴルファが使用したときの打球のサイドスピン量およびバックスピン量の相関関係と、被験者の打球のサイドスピン量およびバックスピン量とに基づいて、被験者に推奨する指標値を補正する。
【００１８】
好ましくは、スペック情報は、シャフト情報をさらに含む。ゴルフクラブ選択方法は、ゴルフクラブに対してゴルファにより付与された評価値およびシャフト情報の相関関係に基づいて、指標値を補正するステップをさらに含む。
【００１９】
好ましくは、計測または演算するステップは、被験者が使用するゴルフクラブに取り付けられたセンサ装置により得られる被験者の複数のスイングデータに基づいて、被験者の打球のサイドスピン量を予測することを含む。
【００２０】
さらに別の実施の形態に従うと、被験者に適したゴルフクラブを選択するゴルフクラブ選択システムが提供される。ゴルフクラブ選択システムは、被験者の打球のサイドスピン量を計測または演算可能な計測装置と、計測装置により得られた結果を用いて被験者に適したゴルフクラブを選択するための処理を実行する処理装置とを備える。処理装置は、打球のサイドスピン量に影響を与えるゴルフクラブのスペック情報に基づいて、予め用意された複数のゴルフクラブの各々についての打球の左右方向への飛翔特性の指標となる指標値を算出するための第１の演算式を記憶する第１の記憶部と、予め用意された複数のゴルフクラブの各々について、第１の演算式を用いて求められた当該ゴルフクラブの指標値に基づいて被験者に適するゴルフクラブの選択基準となる適正サイドスピン量を算出するための第２の演算式を記憶する第２の記憶部と、第２の演算式を用いて求められた予め用意された複数のゴルフクラブの各々の適正サイドスピン量と、計測または演算されたサイドスピン量とに基づいて、予め用意された複数のゴルフクラブから被験者に適したゴルフクラブを選択する選択部とを含む。
【００２１】
さらに別の実施の形態に従うと、被験者に適したゴルフクラブを選択するゴルフクラブ選択装置が提供される。ゴルフクラブ選択装置は、被験者の打球のサイドスピン量の入力を受け付ける入力部と、打球のサイドスピン量に影響を与えるゴルフクラブのスペック情報に基づいて、予め用意された複数のゴルフクラブの各々についての打球の左右方向への飛翔特性の指標となる指標値を算出するための第１の演算式を記憶する第１の記憶部と、予め用意された複数のゴルフクラブの各々について、第１の演算式を用いて求められた当該ゴルフクラブの指標値に基づいて被験者に適するゴルフクラブの選択基準となる適正サイドスピン量を算出するための第２の演算式を記憶する第２の記憶部と、第２の演算式を用いて求められた予め用意された複数のゴルフクラブの各々の適正サイドスピン量と、入力部により受け付けられたサイドスピン量とに基づいて、予め用意された複数のゴルフクラブから被験者に適したゴルフクラブを選択する選択部とを備える。
【発明の効果】
【００２２】
ある局面では、ゴルファの打球のサイドスピン量に応じて、ゴルファに適するゴルフクラブをより精度よく選択することができる。
【図面の簡単な説明】
【００２３】
【図１】ゴルフクラブ選択システムの全体構成を示す図である。
【図２】ゴルフクラブ選択システムの動作概要を説明するためのフローチャートである。
【図３】フェース角およびシャフト軸まわりの慣性モーメントを示す図である。
【図４】重心角を示す図である。
【図５】本実施の形態に従うゴルフクラブ選択方法の他の例を示すフローチャートである。
【図６】ゴルフクラブ選択装置のハードウェア構成を示すブロック図である。
【図７】複数名のゴルファが複数のゴルフクラブを使用したときの打球のサイドスピン量と飛距離（キャリー）との関係を示す図である。
【図８】回帰分析により求めた重回帰式の妥当性を説明するための図である。
【図９】ゴルファに適するゴルフクラブの捕まり係数（推奨捕まり係数）の算出方式を説明するための図である。
【図１０】ヘッドスピードと推奨クラブ質量との関係を示す図である。
【図１１】ゴルフクラブ選択装置の表示画面の一例を示す図である。
【図１２】ゴルファの打球のバックスピン量とサイドスピン量との関係およびサイドスピン量と飛距離（キャリー）との関係（その１）を示す図である。
【図１３】ゴルファの打球のバックスピン量とサイドスピン量との関係およびサイドスピン量と飛距離（キャリー）との関係（その２）を示す図である。
【図１４】ゴルファの打球のバックスピン量とサイドスピン量との関係およびサイドスピン量と飛距離（キャリー）との関係（その３）を示す図である。
【図１５】捕まり評価値とＥＩ２００／ＥＩ９４０との関係を示す図である。
【図１６】ゴルフクラブ選択装置の機能ブロック図である。
【図１７】ゴルフクラブ選択装置の処理手順の一例を示すフローチャートである。
【図１８】回帰分析により求めた重回帰式の妥当性を説明するための図である。
【図１９】シャフト軸周りの慣性モーメントと重心距離との関係を示す図である。
【発明を実施するための形態】
【００２４】
以下に、本発明の実施の形態について説明する。なお、同一または相当する部分に同一の参照符号を付し、その説明を繰返さない場合がある。
【００２５】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。
【００２６】
＜システムの構成および処理手順＞
図１は、本実施の形態に従うゴルフクラブ選択システムの全体構成を示す図である。
【００２７】
以下の説明では、実施の形態１に従うゴルフクラブ選択装置１０がノートＰＣ（Personal  Computer）である場合について説明する。ゴルフクラブ選択装置１０は、種類を問わず任意の装置として実現可能である。例えば、ゴルフクラブ選択装置１０は、デスクトップＰＣ、タブレット端末装置、ＰＤＡ（Personal  Digital  Assistance）、スマートフォンなどとして実現することもできる。なお、ゴルフクラブ選択装置１０は、計測装置２０での計測結果を用いて被験者に適したゴルフクラブを選択するための処理を実行する処理装置として機能する。
【００２８】
計測装置２０は、ヘッドスピード、および打球の各種データを計測可能な装置である。各種データは、打球のサイドスピン量、飛距離、バックスピン量、ボール初速度を含む。具体的には、計測装置２０は、ドップラーレーダーを使用してボールの弾道を追跡して、これらのデータを測定可能な弾道測定器である。たとえば、弾道測定器は、Interactive Sports Games社製弾道測定器トラックマン、またはForesite社製の弾道測定器ＧＣ２である。なお、計測精度が保たれていれば他の弾道測定器であってもよい。
【００２９】
ゴルフクラブ選択装置１０と計測装置２０とは、互いに通信可能に構成されている。たとえば、ゴルフクラブ選択装置１０は、Ｂｌｕｅｔｏｏｔｈ（登録商標）、無線ＬＡＮ（Local  Area  Network）、赤外線通信などを利用して計測装置２０と通信する。なお、ゴルフクラブ選択装置１０は、ＵＳＢ（Universal  Serial  Bus）などを利用した有線通信が可能に構成されていてもよい。
【００３０】
ゴルフクラブ選択装置１０は、計測装置２０で計測された計測結果の入力を受け付けて、被験者に適したゴルフクラブを選択するための処理を実行する。概略として、以下のような処理手順により被験者に適したゴルフクラブが選択される。
【００３１】
ここで、上記ゴルフクラブ選択システムを用いて行なわれるゴルフクラブ選択方法について説明する。
【００３２】
図２は、本実施の形態に従うゴルフクラブ選択方法の一例を示すフローチャートである。図２に示すように、本実施の形態に従うゴルフクラブ選択方法は、被験者（ゴルファー）の打球のサイドスピン量を計測または演算するステップＳ１００を含む。ステップＳ１００は、被験者（ゴルファー）がゴルフボールに対してゴルフクラブをスイングすると行なわれる。典型的には、ステップＳ１００は、計測装置２０（または後述のセンサ装置）を用いて行なわれる。
【００３３】
なお、被験者がスイングするゴルフクラブは、予め店側で用意された標準スペックのゴルフクラブであるとする。標準スペックのゴルフクラブとは、たとえば、フックスピンおよびスライススピンが出にくい傾向があるゴルフクラブである。
【００３４】
当該ゴルフクラブ選択方法は、打球のサイドスピン量に影響を与えるゴルフクラブのスペック情報に基づいて、予め用意された複数のゴルフクラブの各々についての打球の左右方向への飛翔特性の指標となる捕まり係数を算出するステップＳ１１０をさらに含む。
【００３５】
ここで、本実施の形態において、「捕まり係数」とは、打球の左右方向（スライスまたはフック方向）への飛翔特性の指標となる指標値であり、過去に複数のゴルファー（評価者）によって複数のゴルフクラブに対して与えられた官能評価から求められる。詳細は後述するが、「捕まり係数」は、打球のサイドスピン量に影響を与えるゴルフクラブのスペック情報を説明変数とし、当該複数のゴルフクラブのそれぞれに対してゴルファにより付与された評価値を目的変数とする予測式から導出される。
【００３６】
本願発明者が鋭意検討した結果、ゴルフクラブの各種スペック情報のうちサイドスピン量に影響を与えるものは、ゴルフクラブのフェース角ＦＡと、シャフト軸まわりの慣性モーメントＩｓと、重心角ＧＡとを含むことが判明した。ステップＳ１１０は、フェース角ＦＡ、シャフト軸まわりの慣性モーメントＩｓ、および重心角ＧＡを説明変数とし、ゴルフクラブに対してゴルファにより付与された評価値を目的変数として回帰分析を行なうことにより得られる回帰式を用いて捕まり係数を算出することを含む。
【００３７】
図３および図４を参照して、フェース角ＦＡ、シャフト軸まわりの慣性モーメントＩｓ、および重心角ＧＡについて説明する。図３は、フェース角ＦＡおよびシャフト軸まわりの慣性モーメントＩｓを示す図である。図４は、重心角ＧＡを示す図である。
【００３８】
シャフト軸まわりの慣性モーメントＩｓは図３に示すとおりであり、フェース角ＦＡは、ゴルフクラブをソールした状態で、シャフトをライ角通りにセットしたときに、ソールした平面に対してフェース面高さの中央部分を含む平行な平面と、フェース面との交線がシャフト軸線に対してなす上方から見た角度である。一般的にバルジを有する場合には交線は曲線となるが、ヘッドのトゥとヒールを除いた中央領域での接線がシャフト軸線に対して上方から見た角度を計測値とする。また、図４に示されるように、重心角ＧＡは、ゴルフクラブのシャフト部分を机の上などの水平に場所においたときに、フェース面と垂線とのなす角度である。一般的にバルジを有する場合はフェース面の中心が接するように計測される。
【００３９】
再び、図２を参照して、当該ゴルフクラブ選択方法は、予め用意された複数のゴルフクラブの各々について、当該ゴルフクラブの捕まり係数に基づいて被験者に適するゴルフクラブの選択基準となる適正サイドスピン量を算出するステップＳ１２０をさらに含む。詳細は後述するが、「適正サイドスピン量」とは、ゴルフクラブの捕まり係数を後述する式（４）に適用することで求められる。計測された被験者の打球のサイドスピン量が、適正サイドスピン量に近いほど被験者に適したゴルフクラブである。すなわち、「適正サイドスピン量」とは、被験者の打球のサイドスピン量から、被験者に適するゴルフクラブを選択する際に基準となるものである。
【００４０】
当該ゴルフクラブ選択方法は、予め用意された複数のゴルフクラブの各々の適正サイドスピン量と、計測または演算されたサイドスピン量とに基づいて、予め用意された複数のゴルフクラブから被験者に適したゴルフクラブを選択するステップＳ１３０をさらに含む。典型的には、ステップＳ１１０，Ｓ１２０，Ｓ１３０は、ゴルフクラブ選択装置１０を用いて行なわれる。
【００４１】
図５は、本実施の形態に従うゴルフクラブ選択方法の他の例を示すフローチャートである。本実施の形態の変形例に従うゴルフクラブ選択方法は、被験者の打球のサイドスピン量を計測または演算するステップＳ２００と、打球のサイドスピン量に影響を与えるゴルフクラブのスペック情報に基づいて、予め用意された複数のゴルフクラブの各々についての打球の左右方向への飛翔特性の指標となる捕まり係数を算出するステップＳ２１０とを含む。ステップＳ２００，Ｓ２１０は、それぞれ上述したステップＳ１００，Ｓ１１０と同じである。
【００４２】
当該ゴルフクラブ選択方法は、計測または演算されたサイドスピン量に基づいて、被験者に推奨する捕まり係数（推奨捕まり係数）を算出するステップＳ２２０をさらに含む。詳細は後述するが、「推奨捕まり係数」は、ステップＳ２００で計測または演算されたサイドスピン量を後述する式（２）に適用して求められる。すなわち、「推奨捕まり係数」は、被験者に適するゴルフクラブを選択する際に被験者に対して推奨される捕まり係数である。
【００４３】
当該ゴルフクラブ選択方法は、予め用意された複数のゴルフクラブの各々の指標値と、被験者に推奨する指標値とに基づいて、予め用意された複数のゴルフクラブから被験者に適したゴルフクラブを選択するステップＳ２３０をさらに含む。典型的には、ステップＳ２２０，Ｓ２３０は、ゴルフクラブ選択装置１０を用いて行なわれる。
【００４４】
＜ハードウェア構成＞
図６は、本実施の形態に従うゴルフクラブ選択装置１０のハードウェア構成を示すブロック図である。
【００４５】
図６を参照して、ゴルフクラブ選択装置１０は、主たる構成要素として、ＣＰＵ（Central  Processing  Unit）１００と、メモリ１１０と、入力装置１２０と、ディスプレイ１３０と、通信インターフェイス（Ｉ／Ｆ）１４０と、メモリインターフェイス（Ｉ／Ｆ）１５０とを含む。
【００４６】
ＣＰＵ１００は、メモリ１１０に記憶されたプログラムを読み出して実行することで、ゴルフクラブ選択装置１０の各部の動作を制御する。より詳細には、ＣＰＵ１００は、当該プログラムを実行することによって、後述するゴルフクラブ選択装置１０の処理（ステップ）の各々を実現する。ＣＰＵ１００は、例えば、マイクロプロセッサである。
【００４７】
メモリ１１０は、ＲＡＭ（Random  Access  Memory）、ＲＯＭ（Read-Only  Memory）、ハードディスクなどによって実現される。メモリ１１０は、ＣＰＵ１００によって実行されるプログラム、またはＣＰＵ１００によって用いられるデータなどを記憶する。
【００４８】
入力装置１２０は、ゴルフクラブ選択装置１０に対する操作入力を受け付ける。入力装置１２０は、例えば、キーボード、ボタン、マウスなどによって実現される。また、入力装置１２０は、タッチパネルとして実現されていてもよい。
【００４９】
ディスプレイ１３０は、ＣＰＵ１００からの信号に基づいて、表示画面に画像、テキスト、その他の情報を表示する。例えば、ＣＰＵ１００は、被験者に適するゴルフクラブに関する情報をディスプレイ１３０に表示する。
【００５０】
通信インターフェイス（Ｉ／Ｆ）１４０は、ゴルフクラブ選択装置１０と計測装置２０との間で各種データをやり取りするごとが可能である。なお、通信方式としては、例えば、Ｂｌｕｅｔｏｏｔｈ（登録商標）、無線ＬＡＮなどによる無線通信であってもよいし、ＵＳＢなどを利用した有線通信であってもよい。
【００５１】
メモリインターフェイス（Ｉ／Ｆ）１５０は、外部の記憶媒体１５２からデータを読み出す。より具体的には、ＣＰＵ１００は、メモリインターフェイス１５０を介して外部の記憶媒体１５２に格納されているデータを読み出して、当該データをメモリ１１０に格納する。ＣＰＵ１００は、メモリ１１０からデータを読み出して、メモリインターフェイス１５０を介して当該データを外部の記憶媒体１５２に格納する。
【００５２】
なお、記憶媒体１５２としては、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、ＥＰＲＯＭ、ＥＥＰＲＯＭ（Electronically  Erasable  Programmable  Read-Only  Memory）などの、不揮発的にプログラムを格納する媒体が挙げられる。
【００５３】
＜ゴルフクラブの選択＞
次に、被験者に適するゴルフクラブが選択されるまでの流れについて説明する。
【００５４】
（サイドスピン量と飛距離との関係）
まず、サイドスピン量と飛距離との関係について説明する。図７は、６名のゴルファＡ〜Ｆが複数のゴルフクラブを使用したときの打球のサイドスピン量と飛距離（キャリー）との関係を示す図である。ここでは、各々のゴルファに表１に示すゴルフクラブＡ１〜Ａ９のうち複数のゴルフクラブ（最大で９本）を試打させている。
【００５５】
【表１】
0006054893.tif 000002
【００５６】
図７を参照して、ゴルファＡ〜Ｃはどのゴルフクラブを使用してもフックスピン（サイドスピン量がマイナス）が出やすい傾向があり、ゴルファＤ〜Ｆはどのゴルフクラブを使用してもスライススピン（サイドスピン量がプラス）が出やすい傾向があることがわかる。また、最大飛距離と最小飛距離との差は、ゴルファごとに違いはあるものの、概して、打球のサイドスピン量がゼロに近づくほど飛距離が大きくなっていることがわかる。
【００５７】
サイドスピン量の絶対値が大きい場合に飛距離が低下しているのは、インパクト時のエネルギーロスと、飛翔中のゴルフボールでのエネルギーロスとに起因している。具体的には、この場合、サイドスピンの回転エネルギーが大きくなるため、インパクト時のエネルギーロスが生じている。そして、フェース面と平行な成分の力が働くことで、ヘッドの進行方向とは異なる方向にボールが飛び出して、ボール初速度の飛距離方向の成分が減少するため飛距離が低下する。また、サイドスピン量が大きい場合には、左右方向にボールの軌道が曲がることから飛距離が低下する。
【００５８】
図７で示したように、フックスピンの傾向があるのか、スライススピンの傾向があるのかはゴルファごとに異なるものであり、さらにそのスピン量の大きさもゴルファごとに異なる。そのため、ゴルファの打球のサイドスピン量を計測し、計測されたサイドスピン量の絶対値が小さくなるようなゴルフクラブを選択することで、迅速かつ精度よくゴルファに適したゴルフクラブを提供することができる。
【００５９】
（捕まり係数について）
次に、官能評価結果に基づく回帰分析により求められる捕まり係数について説明する。ここでは、６名のゴルファに、１７本（Ｂ１〜Ｂ１７）について試打させて、各々官能評価（捕まり具合の評価）をさせた。ここで、ゴルファは打球の左右方向のサイドスピンにてフックスピンで左曲がりになる弾道を、「捕まる」と表現することから、捕まり具合の官能評価とは、左曲がりの傾向が強くなるほど点数が高くなるよう、複数段階で評価したものである。以後、この評価点のことを捕まり評価値と呼ぶ。捕まり具合の評価は、各々のゴルファが、各々のゴルフクラブに対して、７点満点で１点、２点、３点・・・と点数を付けることによって行なった。ここで、７点が最も評価が高く、１点が最も評価が低い。また、７点から１点までの点数間隔はいずれも同じ尺度である。なお、各々のゴルフクラブの捕まり評価値は、６名のゴルファの当該ゴルフクラブに対する捕まり評価値の平均とした。
【００６０】
本願発明者は、この官能評価から鋭意検討したところ、ゴルフクラブの各種スペックのうち、フェース角ＦＡと、シャフト軸まわりの慣性モーメントＩｓと、重心角ＧＡとが、上記「捕まり評価値」に対して特に相関が高いことを見出した。
【００６１】
そこで、本願発明者は、上記知見に基づき、フェース角ＦＡ、シャフト軸まわりの慣性モーメントＩｓ／１００および重心角ＧＡを各々説明変数とし、「捕まり評価値」を目的変数として重回帰分析を行なった。この結果算出された回帰式を次式（１）に示す。
【００６２】
【数１】
0006054893.tif 000003
【００６３】
式（１）を用いることにより、各々のゴルフクラブのフェース角ＦＡと、シャフト軸まわりの慣性モーメントＩｓと、重心角ＧＡとに基づいて、予測された「捕まり評価値」である「捕まり係数」を簡単に算出することができる。この算出結果を表２に示す。
【００６４】
【表２】
0006054893.tif 000004
【００６５】
また、式（１）に示す重回帰式の妥当性は、図８に示されるとおりである。すなわち、式（１）に示す重回帰式の決定係数Ｒ２は０．６２であることから、高い決定係数が得られており、本願発明者が鋭意検討の結果得られた上述の知見の妥当性が示されている。
【００６６】
（捕まり係数およびサイドスピン量について）
次に、官能評価結果に基づく回帰分析により求められた捕まり係数とサイドスピン量との関係について説明する。ここでは、３１名のゴルファに、８本のゴルフクラブＣ１〜Ｃ８で試打させて、各々のゴルフクラブを試打した場合の打球のサイドスピン量を計測した。各々のゴルフクラブの捕まり係数およびサイドスピン量（実測値）を表３に示す。なお、表３に示すサイドスピン量は、３１名のゴルファの打球のサイドスピン量の平均値である。また、捕まり係数は、式（１）を用いて算出されている。
【００６７】
【表３】
0006054893.tif 000005
【００６８】
図９は、ゴルファに適するゴルフクラブの捕まり係数（推奨捕まり係数）を算出するための算出方式を説明するための図である。まず、図９を参照して、グラフ８００は、表３における捕まり係数とサイドスピン量との相関関係を示している。具体的には、グラフ８００は、表３における捕まり係数およびサイドスピン量を線形近似した直線である。
【００６９】
グラフ８１０は、この相関関係から求められる推奨捕まり係数とサイドスピン量との関係を例示したものである。以下、推奨捕まり係数の算出方式について具体的に説明する。
【００７０】
まず、グラフ８００からわかるように、ゴルフクラブの捕まり係数が大きいほどフックスピン（サイドスピン量がマイナス値）が出やすく、逆に当該捕まり係数が小さいほどスライススピン（サイドスピン量がプラス値）が出やすい傾向がある。
【００７１】
このことから、ゴルフクラブによらずフックスピンが出やすいゴルファ（たとえば、図７中のゴルファＡ〜Ｃ）に対しては、捕まり係数が小さいゴルフクラブを推奨し、スライススピンが出やすいゴルファ（たとえば、図７中のゴルファＤ〜Ｆ）に対しては、捕まり係数が大きいゴルフクラブを推奨すればよいことがわかる。すなわち、フックスピンが出やすいゴルファには、スライススピンが出やすいゴルフクラブが推奨され、スライススピンが出やすいゴルファには、フックスピンが出やすいゴルフクラブが推奨されることになるため、結果としてゴルファのサイドスピン量を抑える（サイドスピン量の絶対値を小さくする）ことができる。
【００７２】
より具体的には、推奨捕まり係数は以下のような式（２）を用いて求められる。
【００７３】
【数２】
0006054893.tif 000006
【００７４】
グラフ８１０は、上記の式（２）で表わされている。この式（２）によると、たとえば、計測されたサイドスピン量（の平均値）が−５００ｒｐｍであるフックスピンが出やすい傾向のあるゴルファに対しては、ゴルフクラブの推奨捕まり係数は３．５となる。また、計測されたサイドスピン量が０ｒｐｍであるサイドスピン傾向のないゴルファに対しては、ゴルフクラブの推奨捕まり係数は４．５となる。また、計測されたサイドスピン量が５００ｒｐｍであるスライススピンが出やすい傾向のあるゴルファに対しては、ゴルフクラブの捕まり係数は５．５となる。
【００７５】
式（２）は、以下のような（Ａ）〜（Ｃ）の分析および知見に基づいて導出されたものである。
【００７６】
まず、上述したように、（Ａ）推奨捕まり係数とサイドスピン量との相関関係は、表３における捕まり係数とサイドスピン量との相関関係とは逆である（すなわち、傾きの正負が逆である）必要がある。
【００７７】
次に、（Ｂ）本願発明者が鋭意検討した結果、一般的な多数のゴルフクラブの捕まり係数の平均値が４．５程度であり、かつそれらのゴルフクラブの捕まり係数が、３．５〜５．５に分布していることが判明している。
【００７８】
さらに、（Ｃ）一般的にフックスピンが出やすいとされるゴルファのサイドスピン量（の平均値）は−５００ｒｐｍ程度であり、一般的にスライススピンが出やすいとされるゴルファのサイドスピン量（の平均値）は５００ｒｐｍ程度である。
【００７９】
式（２）は、上記（Ａ）〜（Ｃ）を条件として導出されているが、例示であって推奨捕まり係数とサイドスピンとの相関関係を示す関係式はこれに限られない。少なくとも（Ａ）は満たす必要があるが、（Ｂ）、（Ｃ）は適宜変更することが可能である。たとえば、（Ｂ）において、捕まり係数の平均値を４．５とした上で、より特殊な（スライス、フックスピンの傾向が強い）ゴルフクラブまでをも取り込むため、捕まり係数の分布を３．０〜６．０としてもよい。また、（Ｃ）において、より特殊な（フック、スライススピンの傾向が強い）ゴルファをも取り込むため、フックスピンが出やすいゴルファのサイドスピン量を−１０００ｒｐｍとし、スライススピンが出やすいゴルファのサイドスピン量を１０００ｒｐｍまで拡大してもよい。
【００８０】
この場合には、推奨捕まり係数は以下のような式（３）で求められる。
【００８１】
【数３】
0006054893.tif 000007
【００８２】
すなわち、条件（Ａ）を満たしつつ、（Ｂ）の捕まり係数の分布範囲、および（Ｃ）のサイドスピン量の分布範囲を決定すれば推奨捕まり係数とサイドスピン量との関係が定まることになる。
【００８３】
（ゴルフクラブの選択および結果表示）
次に、被験者に適したゴルフクラブの選択および結果の表示について説明する。ここでは、たとえば、複数の予め用意された６本のゴルフクラブＤ１〜Ｄ６の中から被験者に適したゴルフクラブを選択する場合について説明する。
【００８４】
以下の表４に６本のゴルフクラブＤ１〜Ｄ６に関する情報を示す。各々のゴルフクラブの適正サイドスピン量は、各々の捕まり係数を以下の式（４）に適用することで求められる。
【００８５】
【数４】
0006054893.tif 000008
【００８６】
たとえば、捕まり係数が４．１の場合には、適正サイドスピン量は−２００ｒｐｍとなる。すなわち、計測された被験者の打球のサイドスピン量が、適正サイドスピン量に近いほど被験者に適したゴルフクラブといえる。なお、適正サイドスピン量は、ゴルフクラブの捕まり係数を上記の式（２）において推奨捕まり係数として適用して求められるサイドスピン量ともいえる。
【００８７】
また、ヘッドスピードの速い被験者にはクラブ質量が重いゴルフクラブが適しており、ヘッドスピードの遅い被験者にはクラブ質量が軽いゴルフクラブが適している。
【００８８】
図１０は、ヘッドスピードと推奨クラブ質量との関係を示す図である。図１０中の直線は、以下の式（５）のとおりであり、この式（５）から被験者に推奨されるクラブ質量（推奨クラブ質量）が定まる。
【００８９】
【数５】
0006054893.tif 000009
【００９０】
また、各々のゴルフクラブの適正ヘッドスピードは、各々のクラブ質量を以下の式（６）に適用することで求められる。
【００９１】
【数６】
0006054893.tif 000010
【００９２】
たとえば、クラブ質量が３１７ｇの場合には、適正ヘッドスピードは４４．３ｍ／ｓとなる。計測された被験者の打球のヘッドスピードが、適正ヘッドスピードに近いほど被験者に適したゴルフクラブといえる。なお、適正ヘッドスピードは、ゴルフクラブのクラブ質量を推奨クラブ質量として上記の式（５）に適用することで求められるヘッドスピードともいえる。
【００９３】
【表４】
0006054893.tif 000011
【００９４】
たとえば、計測装置２０により被験者の打球のサイドスピン量が−２００ｒｐｍと計測された場合には、ゴルフクラブ選択装置１０は、表４を参照して、６本のゴルフクラブの適正サイドスピン量と、この計測結果（−２００ｒｐｍ）とを比較し、この計測結果に最も近い（この場合は、同じ）適正サイドスピン量（−２００ｒｐｍ）を有するゴルフクラブＤ１を被験者に適したゴルフクラブとして選択する。
【００９５】
あるいは、この計測結果から求められる推奨捕まり係数は、式（２）により４．０１となる。そのため、ゴルフクラブ選択装置１０は、表４を参照して、６本のゴルフクラブの捕まり係数と、求められた推奨捕まり係数とを比較し、推奨捕まり係数４．０１に最も近い捕まり係数（４．１）を有するゴルフクラブＤ１を被験者に適したゴルフクラブとして選択する。これにより、被験者の打球のサイドスピン量をよりゼロに近づけるようなゴルフクラブが選択されるため、結果として被験者の打球の飛距離を伸ばすことができる。
【００９６】
さらに、計測装置２０により被験者のヘッドスピードが４６ｍ／ｓと計測された場合には、たとえば、ゴルフクラブ選択装置１０は、表４を参照して、６本のゴルフクラブの適正ヘッドスピードと、この計測結果（４６ｍ／ｓ）とを比較し、この計測結果に最も近い適正ヘッドスピード（４４．３ｍ／ｓ）を有するゴルフクラブＤ１を被験者に適したゴルフクラブとして選択する。
【００９７】
あるいは、この計測結果からから求められる推奨クラブ質量は、式（５）により３２３ｇとなる。そのため、たとえば、ゴルフクラブ選択装置１０は、表４を参照して、６本のゴルフクラブのクラブ質量と、求められた推奨クラブ質量とを比較し、推奨クラブ質量（３２３ｇ）に最も近いクラブ質量（３１７ｇ）を有するゴルフクラブＤ１を被験者に適したゴルフクラブとして選択する。これにより、被験者がより振りやすいゴルフクラブが選択されるため、結果として被験者のスイングを安定させることができる。なお、ゴルフクラブＤ２も推奨クラブ質量が３２３ｇであるが、捕まり係数が４．８であり、求められた推奨捕まり係数（４．１）との差が大きいため、ゴルフクラブＤ１が被験者に最も適したゴルフクラブとして選択される。
【００９８】
ここで、ゴルフクラブ選択装置１０は、被験者に推奨するゴルフクラブとして、複数のゴルフクラブを選択する場合であってもよいし、被験者に推奨する順にゴルフクラブに優先順位を付けて選択する場合であってもよい。たとえば、上記被験者の例では、ゴルフクラブ選択装置１０は、ゴルフクラブＤ１を最適なゴルフクラブとして選択し、ゴルフクラブＤ２を二番目に適するゴルフクラブとして選択する。
【００９９】
図１１は、ゴルフクラブ選択装置１０の表示画面の一例を示す図である。より具体的には、図１１（ａ）は、表４に示す複数のゴルフクラブの適正サイドスピン量および適正ヘッドスピードと、サイドスピン量およびヘッドスピードの実測値とを示す図である。図１１（ｂ）は、表４に示す複数のゴルフクラブの捕まり係数およびクラブ質量と、推奨捕まり係数および推奨クラブ質量とを示す図である。
【０１００】
図１１（ａ）に示すように、ゴルフクラブ選択装置１０は、６本のゴルフクラブの各々について、捕まり係数から求められる適正サイドスピン量と、クラブ質量から求められる適正ヘッドスピードとをディスプレイ１３０に表示する。また、ゴルフクラブ選択装置１０は、被験者のサイドスピン量およびヘッドスピードの実測値９００を表示する。さらに、ゴルフクラブ選択装置１０は、６本のゴルフクラブの各々について、適正サイドスピン量に応じて設定された上限閾値および下限閾値と、適正ヘッドスピードに応じて設定された上限閾値および下限閾値とからなる所定の範囲を表示する。枠９１０〜枠９４０は、ゴルフクラブＤ１〜Ｄ４に対応する当該所定の範囲を示す枠であり、枠９５０は、ゴルフクラブＤ５，Ｄ６に対応する当該所定の範囲を示す枠である。これにより、被験者は、どのゴルフクラブが自身に合ったゴルフクラブなのかを容易に知ることができる。なお、ゴルフクラブ選択装置１０は、実測値９００が収まる枠に対応するゴルフクラブ（図１１（ａ）の場合、ゴルフクラブＤ１，Ｄ２）を被験者に適したゴルフクラブとして選択してもよい。
【０１０１】
また、図１１（ｂ）に示すように、ゴルフクラブ選択装置１０は、６本のゴルフクラブの各々についての捕まり係数およびクラブ質量を表示する。また、ゴルフクラブ選択装置１０は、実測サイドスピン量から求められる推奨捕まり係数と、実測ヘッドスピードから求められる推奨クラブ質量とを表わす点１０００を表示する。さらに、ゴルフクラブ選択装置１０は、６本のゴルフクラブの各々について、捕まり係数に応じて設定された上限閾値および下限閾値と、クラブ質量に応じて設定された上限閾値および下限閾値とからなる所定の範囲を表示する。枠１０１０〜枠１０４０は、ゴルフクラブＤ１〜Ｄ４に対応する当該所定の範囲を示す枠であり、枠１０５０は、ゴルフクラブＤ５，Ｄ６に対応する当該所定の範囲を示す枠である。図１１（ｂ）に示す画面によっても、被験者は、どのゴルフクラブが自身に合ったゴルフクラブなのかを容易に知ることができる。なお、この場合でも、ゴルフクラブ選択装置１０は、点１０００が収まる枠に対応するゴルフクラブ（図１１（ｂ）の場合、ゴルフクラブＤ１，Ｄ２）を被験者に適したゴルフクラブとして選択してもよい。
【０１０２】
＜ゴルフクラブの選択方式の変形例＞
上記では、被験者の打球のサイドスピン量をよりゼロに近づけるようなゴルフクラブを選択する場合について説明した。ここでは、さらにゴルファのバックスピン量、およびゴルフクラブのシャフト情報を考慮した場合のゴルフクラブ選択方式について説明する。
【０１０３】
（推奨捕まり係数の補正）
ここでは、サイドスピン量およびバックスピン量を用いた推奨捕まり係数の補正方式について説明する。
【０１０４】
まず、サイドスピン量およびバックスピン量と飛距離との関係について説明する。図１２〜図１４は、６名のゴルファＯ〜Ｔの打球のバックスピン量とサイドスピン量との関係、およびサイドスピン量と飛距離（キャリー）との関係を示す図である。なお、各々のゴルファには、１本のゴルフクラブで５０球程度試打させている。
【０１０５】
図１２を参照して、ゴルファＯ，Ｐは、サイドスピン量がゼロのときにバックスピン量は３０００ｒｐｍ程度である。そして、ゴルファＯ，Ｐは、サイドスピン量がゼロのときに、飛距離（キャリー）が最大となっている。すなわち、ゴルファＯ，Ｐは、上述した図７のゴルファＡ〜Ｆと同様の傾向がある。
【０１０６】
次に、図１３を参照して、ゴルファＱ、Ｒ，Ｓは、サイドスピン量がゼロのときにバックスピン量は３５００ｒｐｍ程度である。ゴルファＱ，Ｒ，Ｓは、比較的バックスピン量が多いタイプのゴルファであるといえる。そして、ゴルファＱ，Ｒ，Ｓは、サイドスピン量が−５００ｒｐｍ程度のときに飛距離が最大となっている。
【０１０７】
次に、図１４を参照して、ゴルファＴについては、サイドスピン量がゼロのときにバックスピン量は３２００ｒｐｍ程度である。そして、ゴルファＴの場合、サイドスピン量が−２５０ｒｐｍ程度のときに、飛距離（キャリー）が最大となっている。すなわち、ゴルファＴは、図１２に示すゴルファＯ，Ｐのタイプと、図１３に示すゴルファＱ，Ｒ，Ｓのタイプとの中間に属するタイプのゴルファである。
【０１０８】
このように、ゴルファのバックスピン量の大きさにより、サイドスピン量がゼロのときに飛距離が最大になるのか、それともサイドスピン量が小さい（フックスピン量が大きい）ときに飛距離が最大になるのかが異なることがわかる。
【０１０９】
そこで、バックスピン量に応じて、上記の式（２）で求められた推奨捕まり係数を補正することで被験者により適したゴルフクラブを選択することが可能となる。上述したように、図７で示したゴルファＡ〜Ｆと同様の傾向がある図１２で示したゴルファＯ，Ｐは、サイドスピン量がゼロのときに飛距離が最大となっており、バックスピン量は３０００ｒｐｍ程度である。そのため、式（２）で求められる推奨捕まり係数は、以下の式（７）のように補正される。
【０１１０】
【数７】
0006054893.tif 000012
【０１１１】
すなわち、Ｃ０が３０００ｒｐｍのときには、式（７）と式（２）とは同じ式となる。
ただし、Ｃ０を求めるためには、被験者に対して少なくとも２０球以上の試打をさせて弾道のバラツキを計測し、その上でサイドスピン量がゼロのときのバックスピン量を特定することが望ましい。しかしながら、この計測には、多大な時間を要するとともに被験者に対する負担も多い。そこで、Ｃ０を推定する方式について説明する。
【０１１２】
図１２〜図１４を参照して、複数のゴルファＯ〜Ｔにおけるサイドスピン量とバックスピン量とを線形近似した直線の傾きは、それぞれ比較的互いに近い値となっている。すなわち、ゴルファによらずサイドスピン量に対するバックスピン量の変化の割合（傾き）は、ほぼ同じである。そのため、ゴルファＯ〜Ｔにおける当該傾きの平均値である０．８２を利用して以下の式（８）に基づいてＣ０を推定する。
【０１１３】
【数８】
0006054893.tif 000013
【０１１４】
たとえば、被験者に５球程度試打してもらい、計測されたバックスピン量の平均値が４０００ｒｐｍ、サイドスピン量の平均値が５００ｒｐｍであれば、Ｃ０は３５９０ｒｐｍと求めることができる。
【０１１５】
以上から、本実施の形態に従うゴルフクラブ選択装置１０は、計測装置２０によって計測された被験者の打球のサイドスピン量およびバックスピン量と、上記傾きとからＣ０を求める。ゴルフクラブ選択装置１０は、求められたＣ０を式（７）に適用することで推奨捕まり係数を補正する。そして、ゴルフクラブ選択装置１０は、補正された推奨捕まり係数に基づいて、被験者に適するゴルフクラブを選択する。
【０１１６】
（捕まり係数の補正）
次に、ゴルフクラブのシャフト情報を用いた捕まり係数の補正方式について説明する。一般的に、フレックスが柔らかく、先調子のシャフトでスライススピンが減少し、つかまりが良くなる傾向があると言われている。また、フレックスが硬く、手元調子のシャフトでフックスピンが減少する傾向があると言われている。
【０１１７】
そこで、シャフト情報に基づいて、上記の式（１）で求められた捕まり係数を補正することで被験者により適したゴルフクラブを選択することが可能となる。
【０１１８】
ここでは、６名のゴルファに、１０本のゴルフクラブＥ１〜Ｅ１０について５球ずつ試打させて、各々官能評価（捕まり具合の評価）をさせた。ゴルフクラブＥ１〜Ｅ１０は、それぞれシャフトの硬さを表すＥＩの分布が異なり、捕まり係数は４．５程度に揃えてある。官能評価は、各々のゴルファが、各々のゴルフクラブに対して、７点満点で１点、２点、３点・・・と点数を付けることによって行なった。ここで、７点が最も評価が高く、１点が最も評価が低い。なお、各々のゴルフクラブの捕まり評価値は、６名のゴルファの当該ゴルフクラブに対する捕まり評価値の平均とした。各々のゴルフクラブの評価結果を以下の表５に示す。
【０１１９】
なお、ＥＩ２００は、シャフト先端Ｔｉｐから２００ｍｍ地点での曲げ剛性であり、ＥＩ９４０は、シャフト先端Ｔｉｐから９４０ｍｍ地点での曲げ剛性である。ＥＩ４００−７００は、２０ｍｍピッチで計測された曲げ剛性において、シャフト先端Ｔｉｐから４００ｍｍ〜７００ｍｍまでの曲げ剛性の平均値であり、この値が大きければフレックスは硬いといえる。ＥＩ２００／９４０とは、シャフト先端Ｔｉｐから２００ｍｍ地点での曲げ剛性を、９４０ｍｍ地点での曲げ剛性で除した値であり、この値が小さければ先調子であり、この値が大きければ手元調子といえる。
【０１２０】
【表５】
0006054893.tif 000014
【０１２１】
図１５は、捕まり評価値とＥＩ２００／ＥＩ９４０との関係を示す図である。図１５を参照して、シャフトが先調子の方が捕まり評価値が高く、手元調子の方が捕まり評価値が低いことがわかる。そこで、捕まり評価値とシャフト情報であるＥＩ２００／ＥＩ９４０とを線形近似した直線を用いて捕まり係数を補正する。
【０１２２】
上述したように、本願発明者が鋭意検討した結果、一般的な多数のゴルフクラブの捕まり係数の平均値が４．５程度である。そのため、線形近似した直線の式を用いたときのＥＩ２００／ＥＩ９４０の値に対する捕まり評価値（計算値）と、捕まり係数の平均値４．５との差分を、捕まり係数に加算することで捕まり係数を補正する。たとえば、ＥＩ２００／ＥＩ９４０の値が０．１５であるゴルフクラブの場合には、当該直線の式を用いた捕まり評価値の計算値は４．８３となるため、これと４．５との差分である０．３３を捕まり係数に加算することで補正する。たとえば、捕まり係数が４．７のゴルフクラブの場合には、補正された捕まり係数は、５．０３となる。
【０１２３】
以上から、本実施の形態に従うゴルフクラブ選択装置１０は、ゴルフクラブのスペック情報に含まれるシャフト情報と、捕まり評価値とシャフト情報との相関関係を示す近似式とから捕まり評価値の計算値を求める。そして、ゴルフクラブ選択装置１０は、この計算値と所定の基準値（４．５）との差分を捕まり係数に加算することで捕まり係数を補正する。そして、ゴルフクラブ選択装置１０は、補正された捕まり係数を式（４）に適用して求められる適正サイドスピン量と、計測されたサイドスピン量とに基づいて、被験者に適するゴルフクラブを選択する。また、ゴルフクラブ選択装置１０は、推奨捕まり係数と、補正された捕まり係数とに基づいて、被験者に適するゴルフクラブを選択してもよい。
【０１２４】
＜機能構成＞
次に、図１６を参照して、本実施の形態に従うゴルフクラブ選択装置１０を実現するための機能構成について説明する。図１６は、本実施の形態に従うゴルフクラブ選択装置１０の機能ブロック図である。
【０１２５】
図１６に示されるように、ゴルフクラブ選択装置１０は、計測情報入力部２００と、算出部２１０と、選択部２２０と、表示制御部２３０とを含む。これらは、基本的には、ゴルフクラブ選択装置１０のＣＰＵ１００がメモリ１１０に格納されたプログラムを実行し、ゴルフクラブ選択装置１０の構成要素へ指令を与えることなどによって実現される。すなわち、ＣＰＵ１００はゴルフクラブ選択装置１０の動作全体を制御する制御部として機能する。なお、これらの機能構成の一部または全部は、ハードウェアで実現されていてもよい。
【０１２６】
メモリ１１０は、複数の予め用意されたゴルフクラブのスペック情報（フェース角、シャフト軸まわり慣性モーメント、重心角、シャフト情報、ゴルフクラブの質量、長さなど）を記憶する。
【０１２７】
また、メモリ１１０は、算出部２１０での算出に用いられる各種データ（上述した式、グラフ、および表など）を記憶する。具体的には、メモリ１１０は、打球のサイドスピン量に影響を与えるゴルフクラブのスペック情報に基づいて、打球の左右方向への飛翔特性の指標となる捕まり係数を算出するための演算式（たとえば、式（１））を記憶する。より具体的には、当該演算式は、ゴルフクラブのフェース角と、シャフト軸まわりの慣性モーメントと、重心角とを説明変数とし、ゴルフクラブに対してゴルファにより付与された捕まり評価値を目的変数として回帰分析を行なうことにより得られる回帰式である。
【０１２８】
さらに、メモリ１１０は、第１の演算式を用いて求められた複数のゴルフクラブの捕まり係数と、当該複数のゴルフクラブをゴルファが使用した際に発生したサイドスピン量との相関関係（たとえば、図９に示すグラフ８００）を記憶する。メモリ１１０は、この相関関係に基づいて、被験者の打球のサイドスピン量（実測値）に適合する捕まり係数（推奨捕まり係数）を算出するための演算式（たとえば、式（２）または（３））を記憶する。また、メモリ１１０は、この相関関係に基づいて、被験者に適するゴルフクラブの選択基準となる適正サイドスピン量を算出するための演算式（たとえば、式（４））を記憶する。
【０１２９】
さらに、メモリ１１０は、ヘッドスピードと推奨クラブ質量との相関関係を示す関係式（たとえば、式（５））および適正ヘッドスピードとクラブ質量との相関関係を示す関係式（たとえば、式（６））を記憶する。
【０１３０】
さらに、メモリ１１０は、複数のゴルフクラブをゴルファが使用したときの打球のサイドスピン量およびバックスピン量の相関関係を示す演算式（たとえば、式（８））を記憶する。メモリ１１０は、この演算式（式（８））から定められる推奨捕まり係数の補正式（たとえば、式（７））を記憶する。メモリ１１０は、複数のゴルフクラブの各々に対してゴルファにより付与された捕まり評価値と、シャフト情報との相関関係を示す演算式（たとえば、図１５に示す直線の式）を記憶する。
【０１３１】
計測情報入力部２００は、計測装置２０での計測情報の入力を受け付ける。具体的には、計測情報入力部２００は、通信インターフェイス１４０を介して、計測装置２０から計測情報（サイドスピン量、バックスピン量、ヘッドスピードなど）を取得する。また、計測情報入力部２００は、入力装置１２０を介して、計測装置２０での計測情報の入力を受け付けてもよい。
【０１３２】
算出部２１０は、ゴルフクラブのスペック情報を式（１）に適用して、ゴルフクラブの捕まり係数を算出する。また、算出部２１０は、計測装置２０により得られたサイドスピン量と式（２）（または式（３））とに基づいて、被験者に推奨する捕まり係数（推奨捕まり係数）を算出する。また、算出部２１０は、ゴルフクラブの捕まり係数を式（４）に適用してゴルフクラブの適正サイドスピン量を算出する。また、算出部２１０は、計測装置２０により得られたヘッドスピードと式（５）とに基づいて、被験者に推奨するクラブ質量（推奨クラブ質量）を算出する。また、算出部２１０は、ゴルフクラブのクラブ質量を式（６）に適用して適正ヘッドスピードを算出する。
【０１３３】
別の局面では、算出部２１０は、被験者の打球のサイドスピン量およびバックスピン量と、式（８）とに基づいて、推奨捕まり係数を補正する。具体的には、算出部２１０は、式（８）から定められる補正式（７）により、推奨捕まり係数を補正する。
【０１３４】
さらに、別の局面では、算出部２１０は、メモリ１１０に記憶されたゴルフクラブのシャフト情報と演算式（図１５に示す直線の式）とに基づいて捕まり係数を補正する。具体的には、算出部２１０は、捕まり評価値とシャフト情報であるＥＩ２００／ＥＩ９４０とを線形近似した直線を用いて捕まり係数を補正する。
【０１３５】
選択部２２０は、算出部２１０の算出結果または計測情報と、メモリ１１０に記憶された情報（上述の数式など）とを用いて、被験者に適したゴルフクラブを選択する。具体的には、選択部２２０は、予め用意された複数のゴルフクラブの各々の適正サイドスピン量と、計測されたサイドスピン量とに基づいて、予め用意された複数のゴルフクラブから被験者に適したゴルフクラブを選択する。たとえば、選択部２２０は、計測されたサイドスピン量に最も近い適正サイドスピン量を有するゴルフクラブを選択する。
【０１３６】
また、選択部２２０は、複数の予め用意されたゴルフクラブの各々の捕まり係数と、推奨捕まり係数とに基づいて、複数の予め用意されたゴルフクラブから被験者に適したゴルフクラブを選択してもよい。この場合、選択部２２０は、推奨捕まり係数に最も近い捕まり係数を有するゴルフクラブを選択する。
【０１３７】
また、選択部２２０は、ゴルフクラブの適正サイドスピン量に応じて設定された上限閾値と下限閾値とからなる所定の範囲内に、計測されたサイドスピン量が含まれている場合、当該ゴルフクラブを被験者に適するゴルフクラブとして選択してもよい。また、選択部２２０は、ゴルフクラブの捕まり係数に応じて設定された上限閾値と下限閾値とからなる所定の範囲内に、計測されたサイドスピン量から求められた推奨捕まり係数が含まれている場合、当該ゴルフクラブを被験者に適するゴルフクラブとして選択してもよい。
【０１３８】
さらに、選択部２２０は、計測装置２０により計測された被験者のヘッドスピードに適した質量のゴルフクラブを選択する。具体的には、選択部２２０は、計測されたヘッドスピードを式（５）に適用して求められる推奨クラブ質量と、複数の予め用意されたゴルフクラブのクラブ質量とを比較して、推奨クラブ質量に最も近いクラブ質量のゴルフクラブを被験者に適したゴルフクラブとして選択する。
【０１３９】
表示制御部２３０は、選択部２２０により選択されたゴルフクラブをディスプレイ１３０に表示させる。また、表示制御部２３０は、選択されたゴルフクラブのスペック情報をディスプレイ１３０に表示してもよい。さらに、表示制御部２３０は、図１１に示すような表示画面をディスプレイ１３０に表示してもよい。
【０１４０】
＜処理手順＞
次に、図１７を参照して、本実施の形態に従うゴルフクラブ選択装置１０の処理手順について説明する。
【０１４１】
図１７は、本実施の形態に従うゴルフクラブ選択装置１０の処理手順の一例を示すフローチャートである。以下の各ステップは、ＣＰＵ１００がメモリ１１０に格納されたプログラムを実行することによって実現される。
【０１４２】
図１７を参照して、ＣＰＵ１００は、通信インターフェイス１４０を介して、計測装置２０から計測結果の入力を受け付けた（計測結果を取得した）か否かを判断する（ステップＳ１０）。計測結果は、サイドスピン量、バックスピン量、およびヘッドスピードを含む。計測結果を取得していない場合には（ステップＳ１０においてＮＯ）、ＣＰＵ１００は、ステップＳ１０の処理を繰り返す。これに対して、計測結果を取得した場合には（ステップＳ１０においてＹＥＳ）、ＣＰＵ１００は、計測されたサイドスピン量を、式（２）に適用して推奨捕まり係数を算出する（ステップＳ１１）。
【０１４３】
次に、ＣＰＵ１００は、推奨捕まり係数を補正するか否かを判断する（ステップＳ１２）。具体的には、ＣＰＵ１００は、入力装置１２０を介して、ユーザから補正の指示を受け付けた場合には、当該補正をすると判断する。あるいは、ＣＰＵ１００は、予め定められた設定条件により、補正するか否かを判断してもよい。
【０１４４】
当該補正をしない場合には（ステップＳ１２においてＮＯ）、ＣＰＵ１００は、後述するステップＳ１４の処理を実行する。これに対して、当該補正をする場合には（ステップＳ１２においてＹＥＳ）、ＣＰＵ１００は、計測されたサイドスピン量およびバックスピン量と、補正式（式（７））とに基づいて、推奨捕まり係数を補正する（ステップＳ１３）。
【０１４５】
次に、ＣＰＵ１００は、推奨捕まり係数（ステップＳ１３にて補正している場合には、補正された推奨捕まり係数）と、予め用意されたゴルフクラブの各捕まり係数とに基づいて、被験者に適するゴルフクラブを選択する（ステップＳ１４）。具体的には、ＣＰＵ１００は、予め用意された複数のゴルフクラブの各々について、当該ゴルフクラブの捕まり係数に応じて設定された上限閾値および下限閾値からなる所定の範囲内に推奨捕まり係数が含まれている場合、当該ゴルフクラブを被験者に適するゴルフクラブとして選択する。
【０１４６】
さらに、計測されたヘッドスピードも考慮してもよい。具体的には、ＣＰＵ１００は、計測されたヘッドスピードから式（５）を用いて推奨クラブ質量を算出する。そして、ＣＰＵ１００は、推奨捕まり係数および推奨クラブ質量を示す点が、予め用意された複数のゴルフクラブの各々について、当該ゴルフクラブの捕まり係数に応じて設定された上限閾値および下限閾値と、当該ゴルフクラブのクラブ質量に応じて設定された上限閾値および下限閾値とからなる所定の範囲に収まる場合には、当該ゴルフクラブを被験者に適するゴルフクラブとして選択する（図１１（ｂ）参照）。
【０１４７】
なお、上述したステップＳ１４において、予め用意された複数のゴルフクラブの捕まり係数は、シャフト情報を用いて補正された捕まり係数であってもよい。
【０１４８】
また、ＣＰＵ１００は、推奨捕まり係数を基準とした上限閾値と下限閾値とからなる所定の範囲内の捕まり係数を有するゴルフクラブ全てをディスプレイ１３０に表示してもよい。さらに、ＣＰＵ１００は、選択されたゴルフクラブに優先順位を付けてディスプレイ１３０に表示してもよい。たとえば、推奨捕まり係数に近い捕まり係数ほど優先順位が高いとする。
【０１４９】
＜その他＞
（捕まり係数と捕まり評価値との妥当性）
上記の（捕まり係数について）において、式（１）に示す重回帰式の妥当性について説明した。ここでは、この重回帰式についてさらに検証するため、表２に示した結果を収集するために試打させたゴルファとは異なる６名のゴルファに試打させて、表２に示した項目のデータを収集した。
【０１５０】
具体的には、この異なる６名のゴルファに、１３本（Ｆ１〜Ｆ１３）について試打させて、各々官能評価（捕まり具合の評価）をさせた。官能評価は、各々のゴルファが、各々のゴルフクラブに対して、７点満点で１点、２点、３点・・・と点数を付けることによって行なった。ここで、７点が最も評価が高く、１点が最も評価が低い。また、７点から１点までの点数間隔はいずれも同じ尺度である。なお、各々のゴルフクラブの捕まり評価値は、６名のゴルファの当該ゴルフクラブに対する捕まり評価値の平均値とした。
【０１５１】
本願発明者は、フェース角ＦＡ、シャフト軸まわりの慣性モーメントＩｓ／１００および重心角ＧＡを各々説明変数とし、「捕まり評価値」を目的変数として重回帰分析を行なった。この結果算出された回帰式を次式（９）に示す。
【０１５２】
【数９】
0006054893.tif 000015
【０１５３】
式（９）を用いることにより、各々のゴルフクラブのフェース角ＦＡと、シャフト軸まわりの慣性モーメントＩｓと、重心角ＧＡとに基づいて、予測された「捕まり評価値」である「捕まり係数」を算出できる。収集されたデータを表６に示す。
【０１５４】
【表６】
0006054893.tif 000016
【０１５５】
式（９）に示す重回帰式の妥当性については、図１８に示されるとおりである。すなわち、式（９）の重回帰式の決定係数Ｒ２は０．５７である。式（９）の重回帰式でも、高い決定係数が得られていることがわかる。
【０１５６】
ここで、式（１）の重回帰式係数と式（９）の重回帰式係数とを比較すると、絶対値については若干の違いはあるものの、正負は同じである。すなわち、フェース角ＦＡおよびシャフト軸まわりの慣性モーメントＩｓが大きいほど捕まり係数は小さくなり、重心角ＧＡが大きいほど捕まり係数は大きくなる。
【０１５７】
式（１）の重回帰式係数と式（９）の重回帰式係数とが異なる値となったのは、データを収集するゴルファが異なることが主な原因と考えられる。換言すると、極端なスイングを行なうゴルファでデータを収集した場合には、重回帰係数が異なる可能性がある。
【０１５８】
スライススピンとなるスイングの主要素は、打点がフェース面のヒールより、インパクト時のフェース角がオープン、スイングパスがアウトサイドインであることの３つである。また、フックスピンとなるスイングの主要素は、打点がフェース面のトゥより、インパクト時のフェース角がクローズ、スイングパスがインサイドアウトであることの３つである。
【０１５９】
ここで、スライススピンが出やすいゴルファにおいて、打点がフェース面のヒールよりの傾向が強い場合にはＩｓ／１００の影響度を大きくするために係数ａ１の絶対値を大きく設定し、スイングパスがアウトサイドインの傾向が強い場合には重心角ＧＡの影響度を大きくするために係数ａ２の絶対値を大きく設定し、インパクトフェースがオープンの傾向の強い場合にはフェース角ＦＡの影響度を大きくするために、係数ａ３の絶対値を大きく設定することが考えられる。すなわち、係数ａ１，ａ２，ａ３は、被験者のインパクトフェース角、トゥヒール方向の打点、およびスイングパスに応じて変更されてもよい。
【０１６０】
同様に、フックスピンが出やすいゴルファにおいて、打点がフェース面のトゥよりの傾向が強い場合にはＩｓ／１００の影響度を大きくするために係数ａ１の絶対値を大きく設定し、スイングパスがインサイドアウトの傾向が強い場合には重心角ＧＡの影響度を大きくするために係数ａ２の絶対値を大きく設定し、インパクトフェースがクローズの傾向の強い場合にはフェース角ＦＡの影響度を大きくするために係数ａ３の絶対値を大きく設定することが考えられる。
【０１６１】
なお、重回帰式の妥当性を考慮すると、各々の説明変数の係数は正負が逆転しない範囲で、絶対値が０以上１以下であることが好ましいと考えられる。つまり、係数ａ１は−１以上０以下であり、係数ａ２は０以上１以下であり、係数ａ３は−１以上０以下であることが好ましい。また、各々の説明変数の係数を変更した場合、切片ａ０は、データベースの母集団の捕まり係数の平均が４．５になるように調整した値にするのが望ましい。
【０１６２】
上述したインパクトフェース、スイングパス、打点の計測は、インパクト直前でのハイスピードでの連続画像の解析からヘッドの運動を求めることで行なわれる。しかしながら、３軸加速度センサと３軸ジャイロセンサとを搭載したモーションセンサで計測する場合であってもよい。また、打点は、フェースシールで打痕から計測する場合でもよい。
【０１６３】
（説明変数について）
上記では、フェース角ＦＡ、シャフト軸まわりの慣性モーメントＩｓおよび重心角ＧＡを各々説明変数とし、「捕まり評価値」を目的変数として重回帰分析を行なう場合について説明した。しかしながら、本願発明者は、フェース角ＦＡ、シャフト軸まわりの慣性モーメントＩｓ／１００、および重心角ＧＡのうちの２つを説明変数とし、「捕まり評価値」を目的変数として重回帰分析を行ない、以下のような結果を得ている。
【０１６４】
まず、表２に示したフェース角ＦＡ、シャフト軸まわりの慣性モーメントＩｓ／１００とを各々説明変数とし、「捕まり評価値」を目的変数として重回帰分析を行なった結果、算出された回帰式を次式（１０）に示す。
【０１６５】
【数１０】
0006054893.tif 000017
【０１６６】
式（１０）に示す重回帰式の決定係数Ｒ２は０．５５である。
また、表２に示したフェース角ＦＡ、重心角ＧＡとを各々説明変数とし、「捕まり評価値」を目的変数として重回帰分析を行なった結果、算出された回帰式を次式（１１）に示す。
【０１６７】
【数１１】
0006054893.tif 000018
【０１６８】
式（１１）に示す重回帰式の決定係数Ｒ２は０．５８である。
さらに、表２に示したシャフト軸まわりの慣性モーメントＩｓ／１００と、重心角ＧＡとを各々説明変数とし、「捕まり評価値」を目的変数として重回帰分析を行なった結果、算出された回帰式を次式（１２）に示す。
【０１６９】
【数１２】
0006054893.tif 000019
【０１７０】
式（１２）に示す重回帰式の決定係数Ｒ２は０．２８である。
いずれの場合においても、高い決定係数が得られているといえる。この結果から、捕まり係数は、フェース角ＦＡ、シャフト軸まわりの慣性モーメントＩｓ／１００、および重心角ＧＡのいずれか２つを説明変数とする重回帰式から求められる場合であってもよい。すなわち、サイドスピン量に影響を与えるゴルフクラブのスペック情報は、フェース角ＦＡと、シャフト軸まわりの慣性モーメントおよび重心角のうち少なくとも２つを含む。
【０１７１】
ただし、説明変数にフェース角ＦＡを含む重回帰式の決定係数Ｒ２はかなり高いことから、式（１２）よりも、フェース角ＦＡと、シャフト軸まわりの慣性モーメントＩｓ／１００および重心角ＧＡのいずれかを説明変数とする式（１０）、式（１１）の方がより有効な式であるといえる。
【０１７２】
（サイドスピン量の予測）
上記では、打球のサイドスピン量を弾道測定器を用いて計測する場合について説明したが、これに限られない。たとえば、ゴルフクラブと一体型の計測装置により得られた計測情報からサイドスピン量を演算（予測）する場合であってもよい。具体的には、この計測装置は、加速度センサ、歪みセンサ、各種データ演算処理を行う演算部、演算部で用いられるデータを記憶するメモリなどを含むセンサ装置である。より詳細には、これは、ミズノ株式会社製の計測装置「シャフトオプティマイザー」である。
【０１７３】
当該センサ装置は、ヘッドスピード、スイングテンポ、トゥダウン量（インパクト直前のトゥダウン方向のシャフトたわみ量）、前反り角（インパクト時にシャフト前方向に反る角度）、しなりスピード（インパクト直前のシャフトのしなり戻りの速度）、スイング半径（インパクト直前のクラブの回転中心からヘッドまでの距離）などの複数のスイングデータを計測（取得）することが可能である。
【０１７４】
３５名のゴルファ（Ｘ１〜Ｘ３５）に、８本のゴルフクラブで試打させて、各々のゴルフクラブを試打した場合の打球のサイドスピン量を弾道測定器により計測した。そして、各々のゴルファについて、センサ装置を使用して試打させて得られた上記の各計測情報から打球のサイドスピン量を予測した。具体的には、以下の式（１３）に示す回帰式により予測した。つまり、ヘッドスピード、前反り角、しなりスピード、およびスイング半径を各々説明変数とし、「サイドスピン量」を目的変数として重回帰分析を行なった。
【０１７５】
【数１３】
0006054893.tif 000020
【０１７６】
以下の表７に、弾道測定器によるサイドスピン量の実測値と、式（１３）によるサイドスピン量の予測値との比較結果を示す。
【０１７７】
【表７】
0006054893.tif 000021
【０１７８】
式（１３）の重回帰式の決定係数Ｒ２は０．４２である。そのため式（１３）の重回帰式では、比較的良い決定係数が得られている。そのため、センサ装置は、取得した上記スイングデータに、式（１３）を適用してサイドスピン量を予測することができる。なお、センサ装置のメモリには、スイングデータおよび式（１３）が記憶されていてもよい。
【０１７９】
弾道測定器によりサイドスピン量を計測する場合には、被験者のレベルによっては打球のサイドスピン量はバラツキが大きくなる。そのため、多くの時間を要するとともに被験者に対する負担も多い。しかしながら、シャフトオプティマイザーによると、３球程度試打するだけで、上記の計測情報からサイドスピン量が予測できるため、短時間で計測が可能であるとともに被験者に対する負担を軽減することができる。
【０１８０】
（シャフト軸まわりの慣性モーメントの推定）
図１９は、シャフト軸まわりの慣性モーメントと重心距離との関係を示す図である。図１９に示すように、ゴルフクラブのシャフト軸まわりの慣性モーメントＩｓは、重心距離ＣＧとの相関が強い。なお、重心距離ＣＧは、シャフト軸線からヘッド重心までの最短距離のことである。シャフト軸まわりの慣性モーメントＩｓおよび重心距離ＣＧを線形近似した直線は以下の式（１４）のとおりである。
【０１８１】
【数１４】
0006054893.tif 000022
【０１８２】
そのため、ゴルフクラブのシャフト軸まわりの慣性モーメントは実測値であってもよいが、式（１４）を用いて重心距離ＣＧから推定した値であってもよい。
【０１８３】
（捕まり係数の求め方）
上記では、ゴルフクラブのフェース角ＦＡと、シャフト軸まわりの慣性モーメントＩｓと、重心角ＧＡとを説明変数とし、捕まり評価値を目的変数として、捕まり係数を求める場合について説明したが、これに限られない。
【０１８４】
図９中のグラフ８００に示したように、捕まり係数はサイドスピン量と相関関係が強いことがわかる。そのため、ゴルフクラブのフェース角ＦＡ、シャフト軸まわりの慣性モーメントＩｓ、および重心角ＧＡ（または、これらの少なくとも２つを）を説明変数とし、付与された評価値の代わりにサイドスピン量を目的変数として、予測されたサイドスピン量である捕まり係数を求めてもよい。
【０１８５】
（プログラム）
なお、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１８６】
プログラムは、コンピュータのオペレーティングシステム（ＯＳ）の一部として提供されるプログラムモジュールのうち、必要なモジュールを所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１８７】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１８８】
＜実施の形態の効果＞
本実施の形態によると、フックスピンが出やすい、またはスライススピンが出やすいなどのゴルファの傾向に合わせて、ゴルファに適したスペックをもつゴルフクラブを提供することができる。
【０１８９】
また、本実施の形態によると、ゴルフクラブのスペックからサイドスピン量に影響を与えるものとして、フェース角、シャフト軸まわり慣性モーメントおよび重心角の少なくとも１つとを抽出し、これらを総合的に考慮して被験者に適するゴルフクラブを選択することができる。
【０１９０】
また、本実施の形態によると、さらにバックスピン量を考慮して被験者に適するゴルフクラブを選択することが可能である。そのため、バックスピン量の大小のゴルファの傾向に合わせて、ゴルファに適するゴルフクラブをより精度良く提供することができる。
【０１９１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１９２】
１０  ゴルフクラブ選択装置、２０  計測装置、１００  ＣＰＵ、１１０  メモリ、１２０  入力装置、１３０  ディスプレイ、１４０  通信インターフェイス、１５０  メモリインターフェイス、１５２  記憶媒体、２００  計測情報入力部、２１０  算出部、２２０  選択部、２３０  表示制御部。
【図１】
0006054893.tif 000023
【図２】
0006054893.tif 000024
【図３】
0006054893.tif 000025
【図４】
0006054893.tif 000026
【図５】
0006054893.tif 000027
【図６】
0006054893.tif 000028
【図７】
0006054893.tif 000029
【図８】
0006054893.tif 000030
【図９】
0006054893.tif 000031
【図１０】
0006054893.tif 000032
【図１１】
0006054893.tif 000033
【図１２】
0006054893.tif 000034
【図１３】
0006054893.tif 000035
【図１４】
0006054893.tif 000036
【図１５】
0006054893.tif 000037
【図１６】
0006054893.tif 000038
【図１７】
0006054893.tif 000039
【図１８】
0006054893.tif 000040
【図１９】
0006054893.tif 000041